(57)【特許請求の範囲】
【請求項１】
腐敗の生じていないｐH３〜４の焼酎蒸留粕とバッチャプラント又は生コンクリートミキサー車に残留した生コンクリートを洗浄水で洗浄した際に流出する洗浄汚泥であってｐH１１〜１２の生コンクリートスラッジとを容量比でほぼ５：５で混合して、
該混合物をｐH７程度の中性となし、
該混合物中の上記蒸留粕を植物の肥料成分とすることを特徴とする土壌改良材。
【請求項２】
焼酎蒸留粕を発酵活性液で予め発酵させたものと生コンクリートスラッジとを混合させる請求項１記載の土壌改良材。
【請求項３】
焼酎蒸留粕、生コンクリートスラッジ、発酵活性液、土、石粉又は木くずを同時に混合する請求項１記載の土壌改良材。
【請求項４】
上記混合物を肥料又は堆肥として用いる請求項１〜３のいずれかに記載の土壌改良材。
【請求項５】
上記混合物を早期発芽材、早期成長材又は光合成促進材とする請求項１〜３のいずれかに記載の土壌改良材。
【請求項６】
上記混合物を土壌の透水性、保水性、通気性の改善材又は土壌の団粒化材とする請求項１〜３のいずれかに記載の土壌改良材。
【発明の詳細な説明】
【０００１】
【発明の属する技術分野】
本発明は廃棄される多量の焼酎蒸留粕、生コンクリートスラッジ（以下生コンスラッジという）、木くず、石粉（フィラー）を有効利用し、それぞれを配合することによって得られる成果及び技術分野に関するものである。
【０００２】
【従来の技術】
焼酎蒸留粕は、高濃度有機排水として弱酸性（ｐH３〜４）で、廃酸という産業廃棄物に分類されている。鹿児島県の焼酎メーカーは、年間約２０万トン（全国の約６０％）もの焼酎蒸留粕を排出し、その約７割近くの約１３万トンもの焼酎蒸留粕を処理コストの低い海洋投棄に頼っているのが現状である。しかし、１９９６年のロンドン条約改正に伴い、廃棄物の海洋投棄の規制を強化され、例外品目として認められていた焼酎蒸留粕も２００３年から海洋投棄が完全禁止の状況である。しかしながら、陸上処理施設の整備は多額の資金が必要であり、酒造税の引き上げも伴い、焼酎蒸留粕の低コスト処理方法が必要となる。これは、焼酎メーカーのみならず、九州の地域経済にも大きな影響を及ぼすことが考えられる。
【０００３】
現在では、焼酎蒸留粕は飼料又は肥料として活用されているものの、埋め立てに関しては空気に触れ酸化することで異臭を発し、異臭公害を起こしている。また、土壌を酸性化し環境汚染を引き起こしていることも事実である。
【０００４】
また、生コンスラッジは、汚泥に分類されており、高アルカリ性の産業廃棄物である。その発生量は、全国で年間２００万トンと推測されている。生コンスラッジは、アジテータ車に付着したモルタルや残コンクリート及び戻りコンクリートが主で、多くの企業では大半埋立処分されているのが現状である。しかし、昨今の地球環境保全という観点から、処分場を将来にわたって確保することは非常に困難な状況になっている。
【０００５】
【発明が解決しようとする課題】
本発明は酸性の強い多量発生する産業廃棄物の焼酎蒸留粕とアルカリ性の強い生コンスラッジ（産業廃棄物）や木くず（産業廃棄物）、石粉（フィラー）を有効使用し、植物や農作物に多大な影響を与える肥料（堆肥）成分を有するものの作製を目的とする。
【０００６】
また、この製造物が植物や農作物に光合成量の増加を与えることを目的とする。
【０００７】
上記の目的を達成するため本発明は
第１に腐敗の生じていないｐH３〜４の焼酎蒸留粕とバッチャプラント又は生コンクリートミキサー車に残留した生コンクリートを洗浄水で洗浄した際に流出する洗浄汚泥であってｐH１１〜１２の生コンクリートスラッジとを容量比でほぼ５：５で混合して、該混合物をｐH７程度の中性となし、該混合物中の上記蒸留粕を植物の肥料成分とすることを特徴とする土壌改良材、
第２に焼酎蒸留粕を発酵活性液で予め発酵させたものと生コンクリートスラッジとを混合させる上記第１発明記載の土壌改良材、
第３に焼酎蒸留粕、生コンクリートスラッジ、発酵活性液、土、石粉又は木くずを同時に混合する上記第１発明記載の土壌改良材、
第４に上記混合物を肥料又は堆肥として用いる上記第１〜第３発明のいずれかに記載の土壌改良材、
第５に上記混合物を早期発芽材、早期成長材又は光合成促進材とする上記第１〜第３発明のいずれかに記載の土壌改良材、
第６に上記混合物を土壌の透水性、保水性、通気性の改善材又は土壌の団粒化材とする上記第１〜第３発明のいずれかに記載の土壌改良材、
によって構成される。
【０００８】
【発明の実施の形態】
焼酎蒸留粕には鹿児島県内において、４月〜８月にかけて麦焼酎蒸留粕、９月〜２月にかけて芋焼酎蒸留粕が多量（約１０トン／日）得られ、９０℃の高温状態に保たれている腐敗の生じていないものが用いられ、そのｐＨは３〜４である。減圧蒸留方式による製造においては、４５〜６０℃程度で、予め発酵菌を投じたり、早期処理とした腐敗防止の策を講じる。
【０００９】
生コンスラッジは生コンクリートメーカーのバッチャープラント又は生コンクリートミキサー車に残留した生コンクリートを洗浄水で洗浄した際に流出する洗浄汚泥であってｐＨ約１１〜１２である。
【００１０】
この生コンスラッジと上記焼酎蒸留粕をほぼ５：５（焼酎蒸留粕のｐＨによって異なる）の容量比で混合することによりｐＨ７程度（中性）の人工土壌を生成することができる。
【００１１】
上記混合に際しては予め生コンスラッジの上水を天日蒸発させ、又はスラッジの水を除去し、ある程度水の抜けたスラッジを粒度５ｍｍ以下に粉砕し、もしくは含水率の低くしたものを使用した。
【００１２】
このようにした混合物１は植物や農産物用の土壌改良材（人工土壌）として用いられ、混合物中の上記蒸留粕分のみならず生コンスラッジ及び石粉との混合物１が肥料成分となる。
【００１３】
上記蒸留粕は単独では腐敗し易く腐敗臭が大であるため、該蒸留粕を放置しないよう留意する必要がある。
【００１４】
そのため上記蒸留粕に予め発酵活性液を加入して約２週間発酵させることによって腐敗を防止し、これに上記生コンスラッジを５：５（焼酎蒸留粕ｐＨによって異なる）容量比で混合させて上記人工土壌となすことができる。
【００１５】
又上記混合工程において、土（表土）、石粉、木くず、炭粉等を該混合物に同時に撹拌混合し、これを土壌改良材（人工土壌又は発芽促進材）とすることができる。その組成を表１に示す。
【００１６】
【表１】
0003946577.tif 000002
【００１７】
石粉（フィラー）は生コンクリートの骨材採石現場において発生する５ミクロン程度の乾式廃石粉及び予め土水を天日乾燥させたもの、水を除去しある程度水の抜けた含水率の低い湿式廃石粉を利用するものである。
【００１８】
産業廃棄物である上記焼酎かすは次の（１）〜（９）の工程によって発酵させることができる（第１方法）。
（１）糖蜜の３倍の量の湯（４０〜５０℃）に糖蜜を溶かした後、水を入れる。
（２）その液の中に焼酎かすを混入して撹拌する。
（３）最後にＥＭ−１を添加する。上記湯の温度が３５℃以上でないことを確認して（人肌くらいの温度が最もＥＭ−１が活性となる）、その混合液をポリ容器に入れ、栓で密閉して常温（２０〜３０℃）の部屋に収納する。
（４）気温との関係もあるが、１５〜３０日前後でガスが発生し、ポリ容器が膨らむ。
（５）ポリ容器が膨らんだら、栓を緩めてガス抜きして栓を締める。
（６）仕上がりの目安はガスがほぼ発生しなくなった時点である（時々容器を振ると発酵が促進される）。
（７）仕上がりの良し悪しは、鼻につんとくる甘酸っぱい芳香（エステル臭）の有無によって確認する。
（８）出来上がってからの使用期間は、約６ヶ月間が目安（エステル臭が無くなれば使用期間終了）。
（９）保存期間は、納屋などの冷暗所で、１日の温度の変化が少ない所が適している。
【００１９】
又焼酎蒸留粕を固液分離した後、固体部を嫌気性もしくは好気性微生物によって発酵させる（コンポスト）方法がある（第２方法）。
【００２０】
但し上記ＥＭとは有用微生物群（Effective Micro organisms）の頭文字をとった略語である。
【００２１】
又ＥＭ−１（ＥＭ１号）とは有限会社サン興産業の製造販売するものの記号で数１０種類の微生物が複合的に培養された複合培養液で、それを構成している代表的な微生物として
光合成細菌
Rhodopseudomonas属
Rhodobacter属
乳酸菌
Lactobacillus属
Streptococcus属
酵母
Saccharomyces属
その他発酵系の糸状菌（Aspergillus属）やグラム陽性の放線菌群から構成されている。
【００２２】
上記ＥＭ−１（ＥＭ１号）は発酵活性液であって上記（１）〜（９）の工程で焼酎かすを発酵させることができる。容量比及び割合は表２のとおりである。
【００２３】
【表２】
0003946577.tif 000003
【００２４】
上記混合物１（人工土壌又は発芽促進材）は型枠又は古紙箱２内に充填し、これに播種し、木の苗３を生育し、型枠２からブロック４状に分離して河川５の水際の捨石６，６間や堤防の天端７に敷詰めて植生又は緑化を図ることができ、かつ土砂の河川への流出が防止される。
【００２５】
又、上記混合物１をモルタルと混合し、これを山の切取面８に吹付けて切取面８の被覆層９（図５）を形成することができるし、該混合物１に草（バミューダグラス）の種子を混合して被覆層９に草を植付けることができる。
【００２６】
又、上記混合物１を肥料とし、農産物に適用することができる。さらに上記混合物１を自然石（玉石６，６）、蛇篭と組み合わせることによって河川、海岸の護岸用に用いることができる（図３、図４）。
【００２７】
上記混合物１（改良土）Ａ，Ｂ，Ｃ及び表土Ｄの供試体についての配合状態を表３に示す。
【００２８】
【表３】
0003946577.tif 000004
【００２９】
上記供試体についてのｐＨを図６に示す。
表３においてＡ，Ｂは麦焼酎粕であり、Ｃは芋焼酎粕に関するものであり、Ｄは表土に関するものであってＤ−１は表土のみと水との基準配合であって、大豆及びバミューダグラスを植付けた場合と表土と水のみの場合（Ｄ−１）との発芽率及び被植率の比較を図７（イ）図（大豆）、図７（ロ）図（バミューダグラス）に示す。
【００３０】
又大豆の場合の茎の長さ（ｍｍ）及び茎の径（ｍｍ）を図８（イ）（ロ）図に示す。
【００３１】
茲に発芽率とは発芽した図７（イ）図に示すように本数を播いた種子の個数で除した値であり、
又被植率とは図７（ロ）図に示すように植生により緑に覆われた面積を全体の面積で除した値である。
【００３２】
図７（イ）図Ｂ−３及びＣ−５については、表土のみのＤ−１配合に比べきわめて悪い結果となった。Ｂ−３配合については、改良土自体が腐敗したため発芽しなかったものであるが、Ｃ−５配合については施工時における何らかの不手際があったかどうか不明である。
【００３３】
何れにしても表土と水のみのＤ−１配合に対して改良土中の焼酎蒸留粕が肥料成分として作用していることを示す。
【００３４】
従って上記混合物は肥料や堆肥、早期発芽材、早期成長材又は光合成促進材として用いることができるばかりでなく、土壌の透水性、保水性、通気性の改善材又は土壌の団粒化材として用いることが可能である。
【００３５】
【発明の効果】
本発明は上述のように酸性の強い産業廃棄物であり、かつ醸造時多量発生する焼酎かすを、アルカリ性の強い産業廃棄物である生コンクリート洗浄汚泥（スラッジ）とを混合して中性となし得て土壌や河川の汚染を防止し得るばかりでなく植生用人工土壌や土壌改良材として表土よりも優れた効果がある。
【００３６】
又上記焼酎かすを発酵させることによって腐敗及び異臭の発生を抑制し、又土や上記生コンスラッジ又は石粉等と混合乾燥させることによって清潔、安全に植生用土壌改良材や発芽促進材として再生し有効利用することができる。
【図面の簡単な説明】
【図１】型枠に混合物を充填した状態の斜視図である。
【図２】型枠成形ブロック及び植生苗の斜視図である。
【図３】傾斜地緑化状態の斜視図である。
【図４】河川の水際及び堤防の植生状態の側面図である。
【図５】山の切取面の被覆状態の側面図である。
【図６】土壌改良材の配合状態におけるｐＨ値グラフである。
【図７】（イ）図は各配合における表土・水配合との発芽率比較図である。
（ロ）図は各配合における表土・水配合との被植率比較図である。
【図８】（イ）図は各配合における表土・水配合との茎の長さ比較図である。
（ロ）図は各配合における表土・水配合との茎の径の比較図である。
【符号の説明】
１      混合物
【図１】
0003946577.tif 000005
【図２】
0003946577.tif 000006
【図３】
0003946577.tif 000007
【図４】
0003946577.tif 000008
【図５】
0003946577.tif 000009
【図６】
0003946577.tif 000010
【図７】
0003946577.tif 000011
【図８】
0003946577.tif 000012